(57)【特許請求の範囲】
【請求項１】
少なくとも一つのディスプレイと、
複数のメニューオプションを有する、回転するメニューが、前記ディスプレイによって表示するように配置され、前記メニューを前記ディスプレイの中心から外れて配置して、いずれの時間においても少なくとも一つのオプションが前記ディスプレイから外れるように回転可能にし、メニューのフォーマットを変更することなく任意の数のオプションを前記メニューに追加できるようにし、前記メニューが、選択可能なメニューオプションの地位の表示が表示される領域を更に具えるコントローラとを具えることを特徴とする電子装置。
【請求項２】
前記メニューが、スクリーン平面に平行でない見かけの面にメニューが出現するように遠近法で表示されることを特徴とする請求項１記載の電子装置。
【請求項３】
強調されるメニューオプションが、ユーザに最も近接するように出現する見かけの面の一部に出現することを特徴とする請求項２記載の電子装置。
【請求項４】
前記メニューが選択位置を具え、前記メニューオプションのうちの一つが、前記オプションが選択位置の回りを回転するときに選択可能であることを特徴とする請求項１記載の電子装置。
【請求項５】
前記地位の領域を前記メニューの中心に表示することを特徴とする請求項１記載の電子装置。
【請求項６】
前記装置をテレビジョンとし、
前記メニューオプションが、前記テレビジョンに接続したＶＣＲの制御を有し、
前記領域が、ＶＣＲで再生されるテープを表示することを特徴とする請求項１記載の電子装置。
【請求項７】
前記装置をテレビジョンとし、
前記メニューオプションが、前記テレビジョンに接続したＶＣＲの制御を有し、
前記領域が、ＶＣＲに録画される放送を表示することを特徴とする請求項１記載の電子装置。
【請求項８】
前記装置をテレビジョンとし、前記メニューオプションが、前記テレビジョンの制御及び前記テレビジョンに接続した装置に関連することを特徴とする請求項１記載の電子装置。
【請求項９】
前記装置がリモートを更に具え、前記リモートが、前記メニューを所定の方向に回転するボタンを有することを特徴とする請求項２記載の電子装置。
【請求項１０】
前記リモートが、
前記メニューを第１方向及び第２方向にそれぞれ回転するカーブした形状の第１及び第２ボタンと、
現在強調されているメニューオプションを選択し、前記第１及び第２ボタンによって規定されたカーブの内側に配置された第３ボタンとを具えることを特徴とする請求項９記載の電子装置。
【請求項１１】
前記スクリーン上に出現する代理人に応答する少なくとも一つのボタンを具えることを特徴とする請求項１記載の電子装置。
【請求項１２】
前記ディスプレイが、ユーザに対してオプションを提案する代理人も表示することを特徴とする請求項１記載の電子装置。
【請求項１３】
遠近法が、前記メニューオプションの少なくとも一つの形状又はサイズの変更によって達成されることを特徴とする請求項２記載の電子装置。
【発明の詳細な説明】
発明の背景
発明の分野
本発明は、スクリーンを有する電子デバイスのためのユーザインタフェースの分野に関する。
関連する技術
Ｔｉｍｅ  Ｗａｒｎｅｒ  Ｃｏｒｐｏｒａｔｉｏｎは、ＦＳＮと呼ばれるプロトタイプのシステムを現場テストし、“Ｔｅｃｈｎｏｌｏｇｙ  Ｒｅａｄｙ  ｆｏｒ  Ｐｒｉｍｅ  Ｔｉｍｅ”，ＴＩＭＥ（Ｄｏｍｅｓｔｉｃ），１２／２６／９４，ｖｏｌ．１４４，＃２６と、ｈｔｔｐ：／／ｐａｔｈｆｉｎｄｅｒ．ｃｏｍ／＠＠６Ｊ５Ｉ０ｇｃＡＴ１ＱＡｇｌｙＨ／Ｃｏｒｐ／ｄｉｖｉｓｉｏｎｓ／ｆｓｎ／０Ｏのワールドワイドウエブで詳細に報道した。このシステムは、カーソルを移動させるボタンでメニューを回転させることを特徴としてる。
発明の概要
本発明の目的は、改良されたユーザインタフェースを創り出すことにある。
この目的は回転しているメニューで達成される。メニューは、強調されたオプションが前面に見えるようにする遠近法を有している。オプションの幾つかはスクリーンから回転して離れ、その結果、可変の数が加えられる。
別の実施形態においては、強調されたデバイスの実際の地位の表示がユーザインタフェース上に表示される。
【図面の簡単な説明】
さて、本発明は、以下の図面を参照して限定的でない例示の方法によって記述されるであろう。
図１は、本発明の使用されるシステムを示している。
図２は、本発明によってメニューを表示しているテレビジョンのスクリーンを示している。
図３は、メニューを制御するためのリモートを示している。
図４は、代理人を示しているテレビジョンのスクリーンを示している。
図５は、影を有し回転している遠近法のメニューを示している。
図６は、ツールメニューを示している。
好適な実施形態の詳細な説明
図１は、本発明が使用されるホームエンターテイメントシステムを示している。システムはＴＶ１０１，ＶＣＲ１０２，セットトップボックス１０３，ＣＤ−Ｉプレーヤ１０４およびカメラ１０６を含んでいる。ＴＶやＰＣようなスクリーンを有するあるデバイスが本発明のメニューを表示するために必要とされるということを除いて、これらの項目のどれも選択的である。他の項目もまた、どんな種類のホームエンターテイメントデバイスが望まれるかに依存して含まれ得る。ディスプレイのためのコントーラ１０５もまた必要とされる。このコントローラはプロセッサのように分離したデバイスであるかも知れないし、またそれはテレビジョンのように、デバイスの１つの部分であるかも知れない。本発明のメニューはプロセッサ上のソフトウェアを使用し、またはＡＳＩＣのようなハードウェアを使用して創り出される。
図２は、本発明によってメニューを表示しているテレビジョンのスクリーンを示している。メニューは、スクリーン上を回転する一種の回転木馬である。メニューは、メニューの回転の見かけの面を創り出す遠近法で表示される。回転の見かけの面はスクリーンの面に平行ではない。回転の見かけの面のために、強調されるオプションが前面にあるように見える。これは強調されるオプションを見つけ易くする。また、遠近法は、それらがＦＳＮシステム上にあるよりもオプションのメニューをより近づけることができるので、その結果、ユーザはオプションのためにスクリーンのちょうどそれだけを走査することを必要としない。メニューは実際には楕円形であるけれども、遠近法のためにメニューは円周上にあるように見える。加えて、ユーザがメニューを見“おろす”ようにさせる遠近法は、制御の感覚をユーザに与える。
遠近法を維持するため、オプションのメニューの外観は、メニューの回転中に変化する必要がある。例えば、図２のメニューの箱は、回転中に大きさ、形状および見かけの方位において変化する。これらの変化は、より接近している箱は大きく見え、そして端にある箱は、中心の周りを回転して見えることを含んでいる。
遠近法の感覚は、図５に示されるように、箱の下に陰５０１を描くことによって強調される。
好ましくは、見かけの円の中心がスクリーン上の中心から外れていて、その結果、少なくとも１つのオプションのメニューはスクリーンから外れて回転される。少なくとも１つのオプションのメニューがスクリーンから外れて回転されるから、かなり多数のオプションのメニューが、表示の形状に影響を与えることなしにメニューに加えられる。これは、表示を複雑にすることなく付加的な項目をメニューやシステムに加えることを容易にする。
表示の中心に、ピクチャ・イン・ピクチャ（ＰＩＰ）機能がある。特別のオプションが強調されるとき、そのオプションに対する地位の表示がＰＩＰで表示される。地位の表示はプレビューの形態をとることができる。例えば、もしＶＣＲが強調されるならば、ＰＩＰは、ＶＣＲが再生または録画しつつあるものを表示することができる。代案として、ＰＩＰは強調されるデバイスの地位についてのある文書の概要、または強調されるデバイスに対するメニューを含むことができる。
オプションのメニューは、希望されるどんな方法ででも表示される。それらは、例えば、図示されているような箱、またはアイコン、または文字である。
メニューの動作中においては、オプションは、ＴＶのオプションが図２において強調されて示されているように、選択可能なオプションが底部の前面に強調されて見えるように回転する。
一たびオプションが選択されると、スクリーンは、そのオプションに相当するデバイスの制御に関する情報を表示し始める。例えば、スクリーンは選択されたデバイスを制御するための別の回転しているメニューを表示することができる。代案として、スクリーンは選択されたデバイスに関係するある別のメニューを表示することもできる。また別の代案は、ユーザが他のデバイスに関係するリモートを取り上げなければならないであろうということである。
図示されるソートのメニューは、Ｓｔｒａｔａｖｉｓｉｏｎｓ  ３ＤまたはＭａｃｒｏｍｅｄｉａ  Ｄｉｒｅｃｔｏｒのような標準のソフトウェアツールを用いて創り出される。そのようなソフトウェアパッケージは３次元モデルのエントリを許す。アニメーションは、次々に一緒に置かれる連続したビューのためのソフトウェアを求めることによって創り出される。強調は、スクリーン上のオプションのメニューの色を変化させることによって創り出される。
図４は、メニューの付加的な随意の機能を示している。この機能は代理人４０１の表示である。代理人は、ユーザのあるリクエストを実行する既知のソフトウェアデバイスである。例えば、代理人は、セットトップボックスを介して、ユーザにとって関心の項目のためにインターネットを探すことができる。図解のケースにおいては、代理人は、ユーザが見たいかも知れないと考え、そして彼女／彼がそのサービスをプレビューしたいかどうかをユーザに聞いている映画のサービスを見つけた。もし、ユーザがイエスと答えるならば、代理人はシステムの制御を行い、そして望ましい結果を創り出すであろう。
この表示においては、代理人は人間にそっくりで、そしてイエスかノーで答えられる質問をしている。当業者であれば、どんな従来の方法においてでも代理人を表示することができる。
図３は本発明で使用するためのリモートを示している。リモートは、システムの他の項目と一緒に、回転しているメニューを制御するためのボタンを含んでいる。回転しているメニューを制御するためのボタンはオプションを第１の方向に回転させるための第１のボタン３０１と、オプションを第２の方向に回転させるための第２のボタンを含んでいる。ボタン上の矢印は回転の方向を示している。左のボタン３０２は時計方向の回転を示し、一方、右のボタン３０１は反時計方向の回転を示している。
ボタン３０１と３０２はカーブを形成している。カーブの内側には、目下の強調されるメニュー項目を選択するための第３のボタン３０３がある。リモート上に見える他のボタンは随意的である。当業者であれば、ボタンのどんな都合のよい配置をも決定することができる。図３中の選択されたそれらが、以下の表にリストされている。
0004040689.tif 000002
図６は、もしボタン３１０が押されたならば、表示されるものの例を示している。当業者であれば、特別の応用に対して適切であるものに従って、どんなに都合がよくまたは楽しく見えるツールメニューを工夫することができる。
一般に、リモート上のボタンをなくすことは、そのリモートをより使い易くする傾向にある。従って、メニューで選択できる大部分のオプションとリモート上に欠くことのできないボタンのみを有することが好ましい。当業者であれば、特別の応用に対して最善であるそれらのボタンを有するリモートを設計するであろう。
ここでは、好ましい実施形態はテレビジョンを制御することに関するけれども、ここに示されるコンセプトは、ディスプレイを有するどんなデバイス上のメニューにも関係している。
与えられた開示を読むことから、他の変形が当業者にとって明らかであろう。そのような変形は、スクリーンデバイスとリモートの設計、製造および使用において既知であり、そしてここに既に記述した特徴の代わりにまたは加えて使用される他の特徴を含み得る。クレイムは、この出願において特徴の特別の組み合わせについて公式化されたけれども、出願の開示の範囲はまた、それがどれかのクレイムに現在クレイムしたのと同じ発明に関していてもそうでなくても、そしてそれが、本発明がしているように同じ技術的課題のいくらかまたは全てを軽減しようともそうでなくても、明示的か暗示的かあるいはそれらからの派生的にせよここに開示されたどんな新しい特徴または特徴の新しいどんな組合せをも含んでいることが理解されるべきである。出願人は、新しいクレイムが本出願の続行中またそこから引き出された別の出願の続行中に、そのような特徴に対して公式化され得ることをこれによって予告する。
【図１】
0004040689.tif 000003
【図２】
0004040689.tif 000004
【図３】
0004040689.tif 000005
【図４】
0004040689.tif 000006
【図５】
0004040689.tif 000007
【図６】
0004040689.tif 000008